(57)【要約】【課題】不快感を与えるような雰囲気が滞留せず、乳幼児の成育及び健康に適した雰囲気、温度、湿度に保つことができる乳母車用カバーを提供する。【解決手段】乳母車用カバー１の両側部全面に形成したメッシュ３ｄ，３ｄの略全面が閉塞される状態に取り付けられた閉塞シート４，４の一部を開放するか、略全体を開放する等して換気し、乳母車用カバー１内部の空気と外部の新鮮な空気とを、メッシュ３ｄ，３ｄの一部又は略全面を介して換気する。且つ、メッシュ３ｄ，３ｄの略全面を閉塞シート４，４で閉塞して、例えば風雨や雪、排気ガス、湿気、悪臭等の乳幼児に不快感を与えるような雰囲気が侵入するのを阻止し、その雰囲気等による外的要因から乳幼児を保護する。【選択図】  図７
2005125995.tif 000002
【特許請求の範囲】
【請求項１】
乳母車の略全体が覆われる大きさで、透光性を有する合成樹脂で形成した乳母車用カバーであって、
上記乳母車用カバーの両側部全面を通気可能なメッシュに形成し、
上記メッシュの略全面が閉塞される大きさに形成した閉塞シートを、該メッシュ外面に対して開閉可能に取り付けた
請求項１記載の乳母車用カバー。
【請求項２】
上記閉塞シートを、上記メッシュの一部及び略全面が開放される状態に開閉可能に設けた
請求項１記載の乳母車用カバー。
【請求項３】
上記閉塞シートを、上記メッシュが段階的に開放される状態に開閉可能に設けた
請求項１又は２記載の乳母車用カバー。
【請求項４】
上記メッシュの一部又は略全面が閉塞される状態に上記閉塞シートを固定する固定手段を、該メッシュと閉塞シートとの対向縁部に設けた
請求項１，２又は３記載の乳母車用カバー。
【請求項５】
上記閉塞シートを、透光性を有する材質で形成した
請求項１，２，３又は４記載の乳母車用カバー。
【発明の詳細な説明】
【技術分野】
【０００１】
この発明は、例えば風雨や雪、排気ガス、湿気、悪臭等の不快感を与えるような雰囲気を滞留させず、乳幼児の成育及び健康に適した環境に保つことができる乳母車用カバーに関する。
【背景技術】
【０００２】
従来、上述の乳母車用カバーとしては、例えば所定以上の温度に達したとき視認可能な色に変色する温度センサを、乳幼児が保護される空間を与えるための覆いを構成する布地に直接プリントした特許文献１の覆いを備える乳母車と、動力フィルタユニットから供給される濾過空気を、キャノピーと座席ユニットとの間の区画室に送風しながら、区画室内の暖かい空気をキャノピーのメッシュから排出する特許文献２の身体保護装置とがある。
【０００３】
しかし、特許文献１の覆いを備える乳母車は、太陽から照射される日光が覆いに直接当たると、覆い内部の温度が急上昇し、乳幼児に不快感を与えるか、脱水症状を起こすようなことがあるため、覆いの一部を手で捲り上げて、暖かい空気を外部に排出し、新鮮な空気を内部に取り込んで換気するが、覆いの一部を捲り上げた状態に保持しなければならず、換気作業に手間が掛かる。また、特許文献２の身体保護装置は、動力フィルタユニットを、ベビーバギーに着座する乳幼児の頭部近くに取り付けているので、送風時に発生する駆動音及び送風音が大きく、乳幼児の眠りを妨げるか、不快感を与えることがある。且つ、濾過空気を強制的に送風するため、息苦しさを乳幼児に与えることもある。
【０００４】
【特許文献１】実開平２-９２３７９号公報。
【特許文献２】特表平１１−５０７３０６号公報。
【発明の開示】
【発明が解決しようとする課題】
【０００５】
この発明は上記問題に鑑み、乳母車用カバーの両側部全面に形成したメッシュの略全面が閉塞される状態に取り付けられた閉塞シートの一部を開放するか、閉塞シートの全体を開放する等して換気することにより、不快感を与えるような雰囲気が滞留せず、乳幼児の成育及び健康に適した雰囲気、温度、湿度に保つことができる乳母車用カバーの提供を目的とする。
【課題を解決するための手段】
【０００６】
この発明は、乳母車の略全体が覆われる大きさで、透光性を有する合成樹脂で形成した乳母車用カバーであって、上記乳母車用カバーの両側部全面を通気可能なメッシュに形成し、上記メッシュの略全面が閉塞される大きさに形成した閉塞シートを、該メッシュ外面に対して開閉可能に取り付けた乳母車用カバーであることを特徴とする。
【０００７】
上述の乳母車用カバー及び閉塞シートは、例えばカバー外部の景色を乳幼児が目視するか、乳幼児の様子をカバー外部から目視することが可能な透光性及び柔軟性を有するシート状の合成樹脂で形成することができる。且つ、閉塞シートを、例えば略同一幅のシートを上下方向に複数枚連結して略蛇腹状に構成するか、小径サイズの合成樹脂製パイプを多数連結して略簾状に構成することもできる。また、メッシュは、例えば雰囲気（空気を含む）の流通及び通気が許容される網目サイズのネットを両側全面に形成するか、所望する孔径サイズの孔部を両側全面に多数形成（パンチングを含む）する等して構成することができる。また、閉塞シートは、例えばメッシュの略全面が閉塞される状態に独立して上下方向及び左右方向、斜め方向に開閉可能に取り付けることができる。
【０００８】
つまり、乳母車用カバーの両側部全面に形成したメッシュの略全面を閉塞シートで閉塞して、例えば風雨や雪、排気ガス、湿気、悪臭等の不快感を与えるような雰囲気が侵入するのを阻止し、その雰囲気等による外的要因から乳幼児を保護する。且つ、メッシュの一部が開放される状態に閉塞シートを開放するか、メッシュの略全面が開放される状態に閉塞シートを開放する等して、乳母車用カバー内部の空気と外部の新鮮な空気とを、メッシュの一部又は全面を介して換気する。
【０００９】
実施の形態として、上記閉塞シートを、上記メッシュの一部及び略全面が開放される状態に開閉可能に設けることができる。また、上記閉塞シートを、上記メッシュが段階的に開放される状態に開閉可能に設けることができる。その段階的な開放方法としては、例えば寄せ集めた状態に集束するか、複数のシートを折り畳むか、ロール状に巻回する等の方法を用いることができる。また、上記メッシュの一部又は略全面が閉塞される状態に上記閉塞シートを固定する固定手段を、該メッシュと閉塞シートとの対向縁部（下側縁部や両側縁部）に設けることができる。その固定手段には、例えば面ファスナーやスライドファスナー、ホック、ボタン、マグネット、紐、両面粘着テープ、粘着剤等を用いることができる。また、上記閉塞シートを、透光性を有する材質で形成することができる。その材質には、例えば透明又は半透明に形成されたシート状の合成樹脂を用いることができる。
【発明の効果】
【００１０】
この発明によれば、乳母車用カバーの両側部全面に形成したメッシュの略全面が閉塞される状態に取り付けられた閉塞シートの一部を開放するか、略全体を開放する等して換気し、乳母車用カバー内部の空気をメッシュから排出し、新鮮な空気をメッシュから取り込むので、乳幼児に不快感を与えるような雰囲気が、乳母車用カバー内部及び乳幼児の周囲に滞留せず、乳幼児の成育及び健康に適した雰囲気、温度、湿度に保つことができる。且つ、メッシュ全体を閉塞シートで閉塞して、例えば風雨や雪、排気ガス、湿気、悪臭等の不快感を与えるような雰囲気が侵入するのを阻止するので、その雰囲気等による外的要因から乳幼児を保護することができる。
【発明を実施するための最良の形態】
【００１１】
この発明は、不快感を与えるような雰囲気を滞留させず、乳幼児の成育及び健康に適した雰囲気、温度に保つことができるという目的を、乳母車用カバーの両側部全面に形成したメッシュの略全面が閉塞される状態に取り付けられた閉塞シートの一部を開放するか、略全体を開放する等して換気することで実現した。
【実施例】
【００１２】
この発明の一実施例を以下図面に基づいて詳述する。
【００１３】
図面は、１人乗り用の乳母車（ベビーカー）に乗車する乳幼児を、不快感を与えるような雰囲気、温度から保護する機能を備えた乳母車用カバーを示し、図１、図２、図３に於いて、この乳母車用カバー１は、走行形態を有する乳母車Ａの前部及び上部、後部が覆われる大きさに形成した中央部カバー２と、乳母車Ａの両側部が覆われる大きさに形成した左右一対の側面部カバー３，３と、側面部カバー３，３の略全面に形成した開口部３ｃ，３ｃ及びメッシュ３ｄ，３ｄが覆われる大きさに形成した左右一対の閉塞シート４，４とで構成される。且つ、中央部カバー２及び側面部カバー３，３、閉塞シート４，４を、透光性及び柔軟性を有するシート状の合成樹脂で形成している。
【００１４】
上述の中央部カバー２を、乳母車Ａの前部及び上部、後部（背部）が覆われる長さ及び横幅に形成し、側面部カバー３を、乳母車Ａの側部が覆われる大きさ及び形状に形成し、中央部カバー２の中央両側縁部と側面部カバー３，３の中央上側縁部とを一体的に接合（例えば接着又は溶着、縫着等）して、乳母車Ａの略全体（底部以外の前部及び上部、後部、両側部）が覆われる立体形状に形成している。また、中央部カバー２と側面部カバー３との対向縁部全長を、例えばスライドファスナーや面ファスナー、ホック、ボタン、マグネット等で着脱自在に固定してもよい。
【００１５】
且つ、中央部カバー２の後側縁部に連設した後側フラップ２ａを、乳母車Ａを構成する座席部Ａａ及び背凭れ部Ａｂの後面側が覆われる大きさ及び形状に形成し、中央部カバー２の前側縁部に連設した前側フラップ２ｂを、座席部Ａａ及びステップ部Ａｃの前面側が覆われる大きさ及び形状に形成している。また、乳母車Ａのステップ部Ａｃ下面に対して係止される方向に折り返して、走行時に於いて、例えば水や泥等が跳ね上がるのを防止することもできる。
【００１６】
一方、側面部カバー３，３の後側縁部に連設した後側フラップ３ａ，３ａを、背凭れ部Ａｂ後面と対向する状態に垂下された後側フラップ２ａが包み込まれる大きさ及び形状に形成している。且つ、後側フラップ３ａ，３ａの対向縁部に取り付けた紐部材５は、上述の後側フラップ２ａを後側フラップ３ａ，３ａで包み込んだときに結び止められる。また、紐部材５に代わる固定手段の他の例として、例えば図４に示すように、左右後側フラップ３ａの対向縁部を面ファスナー６で着脱可能に固定することもできる。
【００１７】
且つ、例えば小さい虫（蚊や蝿等の病害虫）やゴミ等の侵入が阻止され、雰囲気（空気を含む）の流通及び通気が許容される網目サイズに形成したメッシュ３ｄを、側面部カバー３の略全面に形成した開口部３ｃに取り付け、乳母車用カバー１の内部と外部とを通気可能に連通している。また、メッシュ３ｄに代わる換気手段の他の例として、例えばメッシュ３ｄの網目と略同等（又は同等以下、同等以上）の大きさを有する孔部を、側面部カバー３の略全面に多数形成（パンチング加工）することもできる。
【００１８】
且つ、透光性及び柔軟性を有するシート状の合成樹脂で形成され、側面部カバー３の開口部３ｃ及びメッシュ３ｄ全体が閉塞される大きさに形成した透明な閉塞シート４を、開口部３ｃ又はメッシュ３ｄの外面に取り付け、例えば風雨や雪、排気ガス、湿気、悪臭等の乳幼児に不快感を与えるような雰囲気の侵入が阻止される閉塞状態と、雰囲気の流通及び換気が許容される開放状態との間で上下開閉自在に設けている。
【００１９】
且つ、例えば雨水や水滴等がメッシュ３ｄから侵入するのを防止し、外面に沿って流下ガイドする傾斜部３ｅ（又は日除け）を、開口部３ｃの上縁部に沿って後側上縁部から前側上縁部に向けて徐々に低くなる角度に傾斜すると共に、外側斜め下方に向けてせり出すように形成している。また、傾斜部３ｅを、前側上縁部から後側上縁部に向けて徐々に低くなる角度に傾斜することもできる。
【００２０】
前述の閉塞シート４，４は、左右略同一の開閉構造及び取り付け構造を有しているので、一方の閉塞シート４の構造を図面に基づいて詳述する。この閉塞シート４は、図５にも示すように、略同一幅に形成された透光性及び柔軟性を有するシート４ａ…をメッシュ３ｄ全体が閉塞及び覆われる状態に上下方向に複数枚配列すると共に、そのシート４ａ…の対向縁部（長辺側縁部）を、薄肉のヒンジ部４ｃで上下方向に折り畳み可能に連結して略簾状や略蛇腹状に構成している。また、ヒンジ部４ｃに代わる連結手段の他の例として、例えば合成樹脂製のリングや連結片、紐、ワイヤ、蝶板等で折り畳み可能に連結することもできる。
【００２１】
且つ、最下段のシート４ａに連結された１本（又は複数本）の操作紐４ｄを、上段側のシート４ａ…に形成した孔部４ａ１…と、傾斜部３ｅに形成した孔部３ｅ１とに挿通し、傾斜部３ｅの孔部３ｅ１よりも大きい操作部４ｅを、その孔部３ｅ１よりも上方に引き出された操作紐４ｄの操作側端部に取り付けている。また、操作紐４ｄの操作側端部を、例えば中央部カバー２及び側面部シート３に挿通するか、乳母車Ａを手押しする人の手で操作が容易に行えるように取り付けることもできる。
【００２２】
且つ、面ファスナー７…を、開口部３ｃと閉塞シート４との下側対向縁部（下側縁部）に取り付け、メッシュ３ｄの略全面が閉塞される大きさに展開された閉塞シート４を、メッシュ３ｄの略全面が閉塞及び覆われる状態に面ファスナー７…で固定する。
【００２３】
また、閉塞シート４を、メッシュ３ｄの一部が部分開放される高さに段階的に引き上げると共に、開口部３ｃと閉塞シート４との両側対向縁部（左右縁部）に取り付けた面ファスナー７…で所望する高さに引き上げ固定することもできる。なお、面ファスナー６，７及び操作紐４ｄに代わる固定手段の他の例として、例えばスライドファスナーやマグネット、ホック、ボタン、フック、両面粘着テープ、粘着剤等で固定することもできる。
【００２４】
且つ、図６、図７に示す状態に折り畳まれたシート４ａ…の対向部分を、例えば面ファスナーやマグネット、ホック、ボタン、フック、両面粘着テープ、粘着剤等で固定して、閉塞シート４の一部又は全体を集束した状態に保持することもできる。また、閉塞シート４の代わりに、例えば透光性及び柔軟性を有する小径サイズの合成樹脂製パイプを多数連結して略簾状で構成することもできる。
【００２５】
且つ、乳母車用カバー１内部（又は外部）に取り付けられた温度表示器８は、乳母車用カバー１内部の乳母車Ａに乗車する乳幼児に近い部分の温度を温度センサ（図示省略）で検知し、その検知情報に基づいて、乳母車用カバー１内部の温度変化に略対応した温度を、例えばアナログやディジタル等の数値及び文字で表示すると共に、乳母車Ａを手押しする人が容易に視認できるように表示する。また、温度表示器８の代わりに、例えば乳母車用カバー１内部の温度変化に略対応した明るさや色合いに変化するレベルゲージ式の表示器で表示することもできる。
【００２６】
且つ、乳母車用カバー１内部（又は外部）に取り付けられた温度報知器９は、乳母車用カバー１内部の乳母車Ａに乗車する乳幼児に近い部分の温度を温度センサ（図示省略）で検知し、その検知情報に基づいて、乳母車用カバー１内部の温度変化に略対応した温度を、乳母車Ａを手押しする人が容易に聴き取りできるように、例えば温度変化に略対応した大きさの音を発するブザー、温度変化に略対応したメロディーや音声を発するスピーカー等で報知する。或いは、温度変化に略対応した明るさや色合いに変色するランプ等で報知することもできる。
【００２７】
また、乳母車用カバー１を構成する中央部カバー２及び側面部カバー３、閉塞シート４の何れか一部又は全体を、温度変化に略対応して濃淡や色合いが変化するような素材及び材質で構成することもできる。或いは、乳母車用カバー１の一部又は全体を、例えば紫外線及び赤外線の何れか一方又は両方を遮断する機能を備えた合成樹脂で構成することもできる。
【００２８】
図示実施例は上記の如く構成するものにして、以下、乳母車用カバー１で覆われた乳母車Ａに乗車する乳幼児を、不快感を与えるような雰囲気、温度から保護する方法を説明する。
【００２９】
先ず、乳母車用カバー１を、図１及び図２に示すように、走行形態を有する乳母車Ａの略全体が覆われる立体形状に展開した後、中央部カバー２の上面部を、座席部Ａａ上部の日除け部Ａｄ上面が覆われる状態に載置し、側面部カバー３，３を、乳母車Ａの両側部が覆われる状態に垂下する。
【００３０】
且つ、中央部カバー２の後側フラップ２ａを、上下逆Ｕ字型を有するハンドル部Ａｅの下をくぐらせて、座席部Ａａの背凭れ部Ａｂ後面が覆われる状態に垂下すると共に、側面部カバー３，３に連設した後側フラップ３ａ，３ａを、座席部Ａａの背凭れ部Ａｂ後面と対向する後側フラップ２ａが包み込まれる方向に折り返した後、後側フラップ３ａ，３ａに取り付けた紐部材５，５を互に結び止めて、乳母車用カバー１を、乳母車Ａの略全体が覆われる状態に被覆セットする。
【００３１】
次に、乳幼児乗車時において、乳母車用カバー１内部の温度を、温度表示器８及び温度報知器９の何れか一方又は両方で確認し、乳幼児に不快感を与えるような温度であると判断された場合、その温度に応じて、閉塞シート４，４の一部又は略全体を開閉して換気し、所望する温度に可変調節する。
【００３２】
次に、閉塞シート４，４の何れか一方又は両方を全閉する場合、図１に示すように、操作紐４ｄを手で引き下げ操作するか、閉塞シート４を自重により垂れ下げる等して、閉塞シート４全体を、メッシュ３ｄの略全面が閉塞される大きさに展開した後、開口部３ｃと閉塞シート４との対向縁部を面ファスナー７…で固定して、側面部カバー３，３のメッシュ３ｄ，３ｄ全面を閉塞するので、例えば風雨や雪、排気ガス、湿気、悪臭、寒気等の雰囲気が乳母車用カバー１内部に侵入するのを阻止して、その雰囲気等による外的要因から乳幼児を保護することができる。
【００３３】
次に、閉塞シート４，４の何れか一方又は両方を全開する場合、図６に示すように、操作紐４ｄを手で引き上げ操作し、閉塞シート４全体をたくし上げながら、シート４ａ…を下から順に折り畳んで、閉塞シート４全体を、メッシュ３ｄの略全面が開放される高さに集束した後、操作紐４ｄを乳母車Ａに結び止めるか、フック(図示省略)に係止するか、所望長さ引き上げられた状態に規制する結び目を作る等して、閉塞シート４を、メッシュ３ｄ上部にたくし上げられた状態に固定して、メッシュ３ｄの略全面を開放するので、乳母車用カバー１内部の暖かい空気と、外部の新鮮な空気とがメッシュ３ｄの略全面を介して短い時間で効率よく換気される。
【００３４】
次に、閉塞シート４，４の何れか一方又は両方を部分開放する場合、図７に示すように、操作紐４ｄを手で引き上げ操作し、閉塞シート４全体をたくし上げながら、シート４ａ…を下から順に段階的に折り畳んで、メッシュ３ｄの一部が開放される高さにシート４ａ…を所望枚数集束した後、上述と同様にして、閉塞シート４を、メッシュ３ｄの一部が所望する面積（例えば略１／２や略３／４、略１／８〜略７／８等）だけ開放された状態に固定するので、閉塞シート４の開放面積に略応じて、乳母車用カバー１内部の暖かい空気と、外部の新鮮な空気とがメッシュ３ｄの一部を介して換気され、換気量を制限して、所望する換気量に段階的に可変調節することができる。
【００３５】
且つ、メッシュ３ｄの一部又は略全面が開放される状態に集束された閉塞シート４を、例えば面ファスナーやバンド、マグネット、ホック、ボタン、紐、両面粘着テープ、粘着剤等の固定手段で集束状態に固定することもできる。なお、操作紐４ｄを取り付けなくても、閉塞シート４の一部又は全体を手で上下開閉することもできる。また、閉塞シート４，４を全開する他の方法として、図８に示すように、閉塞シート４全体をロール状に巻回して、メッシュ３ｄの略全面が開放される高さに集束した後、上述の固定手段で巻回状態に固定して、メッシュ３ｄの略全面を開放することもできる。
【００３６】
以上のように、乳母車用カバー１の両側部全面に形成したメッシュ３ｄ，３ｄの略全面が閉塞される状態に取り付けられた閉塞シート４，４の一部を開放するか、略全体を開放する等して換気するので、乳幼児に不快感を与えるような雰囲気が、乳母車用カバー１内部及び乳幼児の周囲に滞留せず、成育及び健康に適した雰囲気、温度、湿度、環境に保つことができる。且つ、メッシュ３ｄ，３ｄ全面を閉塞シート４，４で閉塞して、例えば風雨や雪、排気ガス、湿気、悪臭等の不快感を与えるような雰囲気が侵入するのを阻止するので、その雰囲気等による外的要因から乳幼児を保護することができる。
【００３７】
この発明の構成と、上述の実施例との対応において、  
この発明の固定手段は、実施例の面ファスナー７に対応するも、  
この発明は、上述の実施例の構成のみに限定されるものではない。
【００３８】
上述の閉塞シート４を、例えば側面部カバー３のメッシュ３ｄ外面に対して左右方向及び斜め方向に開閉可能に取り付けることもできる。
【産業上の利用可能性】
【００３９】
この発明の乳母車用カバーは、例えば２人乗り用や３人乗り用の乳母車に乗車する乳幼児を、不快感を与えるような雰囲気、温度から保護するのにも利用することができる。
【図面の簡単な説明】
【００４０】
【図１】乳母車用カバーの被覆状態及びメッシュの全閉状態を示す斜視図。
【図２】乳母車用カバーを紐部材で固定した状態を示す背面図。
【図３】乳母車用カバーを立体形状に展開した状態を示す斜視図。
【図４】乳母車用カバーを面ファスナーで固定した状態を示す背面図。
【図５】閉塞カバーを開閉する操作紐の取り付け状態を示す斜視図。
【図６】メッシュの略全面を開放した状態を示す斜視図。
【図７】メッシュの一部を開放した状態を示す斜視図。
【図８】閉塞シートをロール状に巻回して略全面開放した状態を示す斜視図。
【符号の説明】
【００４１】
Ａ…乳母車
１…乳母車用カバー
２…中央部カバー
３…側面部カバー
３ｃ…開口部
３ｄ…メッシュ
４…閉塞シート
４ａ…シート
４ｃ…ヒンジ部
４ｄ…操作紐
６，７…面ファスナー
８…温度表示器
９…温度報知器
【図１】
2005125995.tif 000003
【図２】
2005125995.tif 000004
【図３】
2005125995.tif 000005
【図４】
2005125995.tif 000006
【図５】
2005125995.tif 000007
【図６】
2005125995.tif 000008
【図７】
2005125995.tif 000009
【図８】
2005125995.tif 000010